(57)【要約】  システム１０は、プロセッサ１３０及びコンピュータ可読記憶媒体１２６を有するコンピューティングシステム１２４を含む。コンピュータ可読記憶媒体１２６は、放射線計画モジュール１３６、放射線計画最適化モジュール１３８及び放射線計画可視化モジュール１４０を含むコンピュータ可読及び実行可能命令１２８を有する。プロセッサは、命令を実行して、当該プロセッサに、ディスプレイモニタ１３２を介して、放射線計画からの３次元データを有する２次元プロットを構築及び視覚的に提示させ、２つの次元がプロットの２つの軸に沿って表され、第３の次元が強度によって表される。
2020518363.tif 000002
【特許請求の範囲】
【請求項１】
コンピューティングシステムを含むシステムであって、
前記コンピューティングシステムは、
プロセッサと、
コンピュータ可読記憶媒体と、
を含み、
前記コンピュータ可読記憶媒体は、放射線計画モジュール、放射線計画最適化モジュール及び放射線計画視覚化モジュールを含むコンピュータ可読及び実行可能命令を有し、
前記プロセッサは、前記コンピュータ可読及び実行可能命令を実行して、前記プロセッサに、ディスプレイモニタを介して、放射線計画からの３次元データを有する２次元プロットを構築及び視覚的に提示させ、２つの次元が前記２次元プロットの２つの軸に沿って表され、第３の次元が強度によって表される、システム。
【請求項２】
前記３次元データは、体積変調アーク治療ビームの制御パラメータに基づいている、請求項１に記載のシステム。
【請求項３】
前記３次元データは、マルチリーフコリメータの制御パラメータに基づいている、請求項１又は２に記載のシステム。
【請求項４】
前記３次元データの３次元は、リーフペアの開口サイズ、制御点及びコリメータ列を含む、請求項１から３の何れか一項に記載のシステム。
【請求項５】
前記２次元プロットの第１の軸が前記制御点を表し、前記２次元プロットの第２の軸が前記コリメータ列を表し、前記２次元プロットのピクセルの強度が前記リーフペアの開口サイズを表す、請求項４に記載のシステム。
【請求項６】
前記強度は、グレースケール又はカラースケールによって表され、様々な強度は、様々なグレーの色調又は様々な色で表される、請求項５に記載のシステム。
【請求項７】
前記２次元プロットは更に、コリメータのジョーの上の位置及び下の位置を表す包絡線を含む、請求項４から６の何れか一項に記載のシステム。
【請求項８】
前記放射線計画は、２つ以上のアークを含み、各アークについて異なるプロットが作成され、様々なプロットが同時に視覚的に提示される、請求項４から７の何れか一項に記載のシステム。
【請求項９】
前記放射線計画は、２つ以上の代替計画を含み、各代替計画について異なるプロットが作成され、様々なプロットが同時に視覚的に提示される、請求項４から７の何れか一項に記載のシステム。
【請求項１０】
前記３次元データの３次元は、制御点間のリーフペア開口の変化、制御点及びコリメータ列を含む、請求項１から３の何れか一項に記載のシステム。
【請求項１１】
前記２次元プロットの第１の軸が制御点を表し、前記２次元プロットの第２の軸がコリメータ列を表し、前記２次元プロットのピクセルの強度が制御点間のリーフペア開口の前記変化を表す、請求項１０に記載のシステム。
【請求項１２】
前記２次元プロットの第１の軸が制御点を表し、前記２次元プロットの第２の軸がコリメータ列を表し、前記２次元プロットのピクセルの強度が前記リーフペアの速度を表し、前記プロセッサは、制御点間のリーフペア開口の前記変化に基づいて、前記速度を決定する、請求項１１に記載のシステム。
【請求項１３】
前記２次元プロットの第１の軸が制御点を表し、前記２次元プロットの第２の軸がコリメータ列を表し、前記２次元プロットのピクセルの強度が前記リーフペアの加速度を表し、前記プロセッサは、制御点間のリーフペア開口の前記変化に基づいて、前記速度を決定する、請求項１１又は１２に記載のシステム。
【請求項１４】
前記強度は、グレースケール又はカラースケールによって表され、様々な強度が、様々なグレーの色調又は様々な色で表される、請求項１１から１３の何れか一項に記載のシステム。
【請求項１５】
前記３次元データの３次元は、離散化されたリーフ移動位置、制御点ガントリ角度及び開いたリーフペアの数を含む、請求項１から３の何れか一項に記載のシステム。
【請求項１６】
前記２次元プロットの第１の軸が前記離散化されたリーフ移動位置を表し、前記２次元プロットの第２の軸が前記制御点ガントリ角度を表し、前記２次元プロットのピクセルの強度が、開いたリーフペアの前記数を表す、請求項１５に記載のシステム。
【請求項１７】
前記強度は、制御点モニタユニットによって各制御点において重み付けされる、請求項２から１６の何れか一項に記載のシステム。
【請求項１８】
放射線計画を生成するステップと、
前記放射線計画を最適化するステップと、
最適化された放射線計画からのデータの３次元を有する２次元プロットを視覚的に表示することによって、前記最適化された放射線計画を視覚化するステップと、
を含み、
２つの次元が前記２次元プロットの２つの軸に沿って表され、第３の次元が強度によって表される、方法。
【請求項１９】
前記２次元プロットの第１の軸が制御点を表し、前記２次元プロットの第２の軸がコリメータ列を表し、前記強度はリーフペアの開口サイズを表す、請求項１８に記載の方法。
【請求項２０】
前記２次元プロットの第１の軸が制御点を表し、前記２次元プロットの第２の軸がコリメータ列を表し、前記強度は制御点間のリーフペア開口の変化を表す、請求項１８に記載の方法。
【請求項２１】
前記２次元プロットの第１の軸が離散化されたリーフ移動位置を表し、前記２次元プロットの第２の軸が制御点ガントリ角度を表し、前記強度は開いたリーフペアの数を表す、請求項１８に記載の方法。
【請求項２２】
コンピュータ実行可能命令がエンコードされたコンピュータ可読媒体であって、前記コンピュータ実行可能命令は、プロセッサによって実行されると、前記プロセッサに、
放射線計画を生成させ、
前記放射線計画を最適化させ、
最適化された放射線計画からのデータの３次元を有する２次元プロットを表示することによって、前記最適化された放射線計画を視覚的にまとめさせ、
２つの次元が前記２次元プロットの２つの軸に沿って表され、第３の次元が強度によって表される、コンピュータ可読媒体。
【請求項２３】
前記２次元プロットの第１の軸が制御点を表し、前記２次元プロットの第２の軸がコリメータ列を表し、前記強度がリーフペアの開口サイズを表す、請求項２２に記載のコンピュータ可読媒体。
【請求項２４】
前記２次元プロットの第１の軸が制御点を表し、前記２次元プロットの第２の軸がコリメータ列を表し、前記強度が制御点間のリーフペア開口の変化を表す、請求項２２に記載のコンピュータ可読媒体。
【請求項２５】
前記２次元プロットの第１の軸が離散化されたリーフ移動位置を表し、前記２次元プロットの第２の軸が制御点ガントリ角度を表し、前記強度が開いたリーフペアの数を表す、請求項２２に記載のコンピュータ可読媒体。
【発明の詳細な説明】
【技術分野】
【０００１】
以下は、概して、放射線治療に関し、より具体的には、体積変調アーク療法（ＶＭＡＴ）に関する。
【背景技術】
【０００２】
体積変調アーク療法（ＶＭＡＴ）は、ガントリが被験者の周りを回転し、コリメータリーフを動かすことにより放出ビームが成形されるデリバリタイプの外照射療法（ＥＢＲＴ）である。ＶＭＡＴ計画は、アークに沿った一連の個別の制御点（ＣＰ）に関して記述することができ、各ＣＰは、コリメータリーフペアの配置（セグメント形状）、ビーム強度（線量率）及びガントリ速度を記述する。放射線治療計画システム（ＴＰＳ）のプランナ及びオプティマイザのタスクは、適切で有効なＶＭＡＴ計画を見つけることである。
【０００３】
一般的に、臨床医は、治療するアークセグメント（長さ、位置、アーク数、…）、治療時間、分割回数、線量品質を示す線量目標、使用する機械（施設に複数のタイプの線形加速器及びコリメータがある場合）を規定する。次に、コンピュータ実施最適化アルゴリズムが、様々な制約を考慮に入れてソリューションを提案し、目的関数（局所最適）に関して様々な同等のソリューションの中から選択しなくてはならない。したがって、ＶＭＡＴ計画を作成するプロセス全体は複雑になる可能性があり、多くの近似値を利用する。
【０００４】
計画を定量化するために、標的線量、リスク臓器線量、線量均一性といった線量ベースのメトリックが使用されてきている。線量は、個別のＣＰでのシミュレーションによってのみ近似されるため、送達時間、形状の複雑さ、形状の大きさ、形状の変化、総モニタユニット（ＭＵ）（治療ビームから放出される総線量）等といった送達特性の更なるメトリックも考慮されてきている。計画検査ツールには、線量率、ガントリ角度及び最大リーフ速度を示すＣＰスプレッドシート、最大又は平均リーフ速度のグラフ、セグメント形状のアニメーション及びセグメント形状が重ね合わされたデジタル再構成ラジオグラフ（ＤＲＲ）が含まれる。
【発明の概要】
【発明が解決しようとする課題】
【０００５】
しかし、所与の計画が、制約について最善の妥協案ではない場合がある。残念ながら、計画におけるパラメータ（例えば各制御点の角度やリーフ位置／移動等）の多次元の性質により、計画がどのように送達されるかを理解することが難しく、これは、計画を比較したり及び／又は所与の状況に対する制限因子を理解したりすることを困難にする。例えばセグメント形状の時空間的な連続を理解することが困難である。更に、ビーム強度は時間的に変化し、データに別の独立した次元をもたらす可能性がある。
【０００６】
本明細書に説明される態様は、上記問題及び／又は他の問題に対処する。
【課題を解決するための手段】
【０００７】
一態様では、システムが、プロセッサ及びコンピュータ可読記憶媒体を有するコンピューティングシステムを含む。コンピュータ可読記憶媒体は、放射線計画モジュール、放射線計画最適化モジュール及び放射線計画視覚化モジュールを含むコンピュータ可読及び実行可能命令を有する。プロセッサは、命令を実行して、当該プロセッサに、ディスプレイモニタを介して、放射線計画からの３次元データを有する２次元プロットを構築及び視覚的に提示させ、２つの次元がプロットの２つの軸に沿って表され、第３の次元が強度によって表される。
【０００８】
別の態様では、方法が、放射線計画を生成するステップと、放射線計画を最適化するステップと、最適化された放射線計画からのデータの３次元を有する２次元プロットを視覚的に表示することによって、最適化された放射線計画を視覚化するステップとを含み、２つの次元がプロットの２つの軸に沿って表され、第３の次元が強度によって表される。
【０００９】
別の態様では、コンピュータ可読媒体がコンピュータ実行可能命令でエンコードされる。コンピュータ実行可能命令は、プロセッサによって実行されると、当該プロセッサに、放射線計画を生成させ、放射線計画を最適化させ、最適化された放射線計画からのデータの３次元を有する２次元プロットを表示することによって、最適化された放射線計画を視覚的にまとめさせ、２つの次元がプロットの２つの軸に沿って表され、第３の次元が強度によって表される。
【００１０】
これら及び他の態様は、本明細書に説明される実施形態から明らかとなり、当該実施形態を参照して説明される。
【図面の簡単な説明】
【００１１】
本発明は、様々なコンポーネント及びコンポーネントの構成、また、様々なステップ及びステップの構成の形を取ってよい。図面は、好適な実施形態を例示することのみを目的とし、本発明を限定するものと解釈されるべきではない。
【００１２】
【図１】図１は、本明細書に説明される実施形態による放射線治療計画ビジュアライザを含む例示的なシステムを図示する。
【図２】図２は、本明細書に説明される実施形態に従って、３次元計画データを、強度が第３の次元を表す２次元プロットに折りたたむ計画ビジュアライザによって構築及び提示されるプロットを示す。
【図３】図３は、本明細書に説明される実施形態に従って、３次元計画データを、強度が第３の次元を表す２次元プロットに折りたたむ計画ビジュアライザによって構築及び提示される別のプロットを示す。
【図４】図４は、本明細書に説明される実施形態に従って、３次元計画データを、強度が第３の次元を表す２次元プロットに折りたたむ計画ビジュアライザによって構築及び提示される更に別のプロットを示す。
【図５】図５は、本明細書に説明される実施形態に従って、３次元計画データを、強度が第３の次元を表す２次元プロットに折りたたむ計画ビジュアライザによって構築及び提示される更に別のプロットを示す。
【図６】図６は、本明細書に説明される実施形態による方法を示す。
【発明を実施するための形態】
【００１３】
図１は、線形加速器（ＬＩＮＡＣ）といった放射線治療システム１００と、本例ではコンピューティングシステム１２４として示す治療計画システム（ＴＰＳ）とを有するシステム１０を概略的に示す。放射線治療システム１００は、固定ガントリ１０２と、固定ガントリ１０２に回転可能に取り付けられた回転ガントリ１０４とを含む。回転ガントリ１０４は、治療領域１０８の周りを回転軸１０６に対して（例えば３６０°又はそれ以上若しくはそれ以下）回転する。
【００１４】
固定ガントリ１０２は、治療放射線を送達する治療（例えばメガボルト（ＭＶ））放射線源１１２を有する治療ヘッド１１０と、治療ヘッド１１０を出る照射野を所定形状に成形可能なコリメータ１１４（例えばマルチリーフコリメータ）とを含む。放射線源１１２は、治療領域１０８の周りを回転ガントリ１０４と協働して回転する。コリメータ１１４は、共に独立して動くことができて照射野を成形するジョーのセットと複数のリーフとを含む。
【００１５】
カウチといった被験者支持体１１６が、治療領域１０８内の被験者の一部を支持する。図示する患者支持体１１６は、テーブルトップ１１８及びベース１２０を含む。テーブルトップ１１８は、治療領域１０８に出入りするように平行移動する。
【００１６】
オペレータコンソール１２２（例えばコンピュータ）は、ディスプレイといった人間が読み取り可能な出力デバイスと、キーボード及び／又はマウスといった入力デバイスとを含む。操作者は、コンソール１２２上でアクセス可能なソフトウェアによって、放射線治療システム１００の動作を制御することができる。例えばコンソール１２２を使用して、ＶＭＡＴ、ＩＭＲＴ等の治療計画をロードすることができる。コンソール１２２は、計画に基づいて、アークに沿った制御点におけるガントリ回転、コリメーション及び治療送達等を制御する。
【００１７】
コンピューティングシステム１２４は、物理メモリ及び／又は他の非一時的メモリといったコンピュータ可読記憶媒体１２６（一時的媒体を除く）を含む。コンピュータ可読記憶媒体１２６は、コンピュータ実行可能命令（「命令」）１２８を格納する。コンピューティングシステム１２４は更に、命令１２８を実行するプロセッサ１３０（例えば中央処理演算ユニット、即ち、ＣＰＵ、マイクロプロセッサ、コントローラ等）を含む。コンピューティングシステム１２４は更に、出力デバイス１３２（例えばディスプレイモニタ）及び入力デバイス１３４（例えばマウス、キーボード等）を含む。
【００１８】
命令１２８は、放射線治療計画モジュール（「プランナ」）１３６と、放射線治療計画最適化モジュール（「オプティマイザ」）１３８と、放射線治療視覚化モジュール（「ビジュアライザ」）１４０とを含む。プランナ１３６は、アークセグメント、各アークセグメントに沿った制御点、治療時間、分割回数、線量品質を示す線量目標、治療送達機械特性等といったユーザ入力に基づいて放射線治療計画を作成する。オプティマイザ１３８は、放射線治療計画を処理し、様々な制約を考慮に入れてソリューションを提案する。
【００１９】
ビジュアライザ１４０は、最適化された放射線治療計画の送達特性のサマリを構築し視覚的に提示する。これには、放射線治療計画からの３以上の様々な次元のデータから様々なタイプの２次元（２Ｄ）プロットを作成することが含まれる。より詳細に説明すると、一例では、プロットは、例えば制御点インデックス／ガントリ角度（時間軸）とマルチリーフコリメータの空間軸の１つ（リーフペアインデックス又はリーフ移動軸上の位置）との両方を明示的に視覚化する一方で、別の空間次元をパラメータ組み合わせにおける強度（例えばグレースケール又はカラースケール）を規定する単一数値に折りたたむことによって、完全なＶＭＡＴアークのリーフ開口特性（例えば統計値）といった特性を示す。
【００２０】
一例では、このようなプロットは有益であり、放射線治療計画の送達特性の包括的な視覚的サマリを提供する。包括的な視覚的サマリは、放射線治療計画がどのように送達されるのかについての理解を深め、及び／又は、例えば様々なトライアル、アーク、設定等についての放射線治療計画の比較を容易にすることができる。トライアルとは、一般に、機械、アークの定義、コリメータの角度、送達時間及び／又は任意の他の設定が異なっている代替計画である。オプティマイザは、これらの設定のそれぞれについて、最適なソリューションを見つけるが、これらの設定に対して最適化は行わない（つまり、プランナの選択で最適な設定を見つける）。視覚化は、制御点スプレッドシート、最大又は平均リーフ移動のプロット、セグメント形状アニメーション等を含む技術以外の情報も考慮することができる。したがって、一例では、本明細書に説明するアプローチは、放射線治療を計画し、放射線治療計画を受け入れ、及び／又は、送達前の品質保証（ＱＡ）を簡素化するプロセスを容易にすることができる。
【００２１】
図１は、コンソール１２２及びコンピュータシステム１２４を、システム１０の別個のコンポーネントとして示すが、変形例では、コンソール１２２及びコンピューティングシステム１２４は、同じコンピューティングシステムの一部である（例えばコンソール１２２又はコンピューティングシステム１２２）。別の変形例では、コンピューティングシステム１２４及び／又は放射線治療システム１００は、システム１０とは別個であってもよい。更に、コンピューティングシステム１２４は、コンソール１２２の近く（同じ部屋、隣の部屋の中等）にあっても、遠隔（例えばより遠い部屋、異なる施設の中等）にあってもよい。
【００２２】
図２、図３、図４及び図５は、ビジュアライザ１４０を用いて構築及び視覚的に提示されるサマリの非限定的な例を示す。説明及び簡潔さのために、図示するサマリは、２つの計画標的体積（ＰＴＶ）と、複数の制御点を持つシングルアークとを有する放射線治療計画をまとめたものである。
【００２３】
図２の場合、ビジュアライザ１４０は、制御点及びコリメータ列の関数として、リーフペアの開口サイズのプロット２００を構築し提示する。
【００２４】
第１の（又はｘ）軸２０２は制御点を表し、第２の（又はｙ）軸２０４はコリメータ列／リーフペアを表し、包絡線２０６はコリメータの上下のジョーの位置を表す。プロット２００では、リーフペアの開口サイズは、グレースケールを使用する強度によって表される。白は最小開口サイズ（即ち、完全に閉じた状態）を示し、黒は最大開口サイズ（即ち、完全に開いた状態）を示し、それらの間のグレーレベルは、明るいグレーから暗いグレーへの色調で増加する開口（又は暗いグレーから明るいグレーへの色調で減少する開口）を示す。
【００２５】
マーキング２０８は、視覚化されるグレーのレベルを示し、これは、白から黒までの全範囲であっても、白又は第１のグレーレベルから黒又は第２のより暗いグレーレベルまでの部分範囲であってもよい。包絡線２０６の外側の値は、これらの領域はジョーの包絡線２０６の外側にあるため、白である。特定の制御点２１０及び特定のコリメータ列のリーフペア２１２について、リーフペアの相対的な開口サイズは、２１４のグレースケール値によって示される。この特定の例では、プロット２００は、領域２２０に比べて、第１の領域２１６及び第２の領域２１８においてより大きいリーフペアの開口を示す。これは、領域２１６及び２１８がより暗い強度を含むからである。
【００２６】
一例では、隣接する制御点での開口サイズの変動の程度が、更なる最適化を検討する必要があることを示す場合がある。これは、例えば大きいリーフ移動は、精度の低い線量シミュレーションに関連付けられるからである。一般に、プロット２００は、３次元のデータを２Ｄプロットに折りたたみ、第３の次元は強度で表される。変形例では、カラースケールを使用して強度が表される。比較のために、このようなプロットを２つ以上同時に表示することができる。例えば異なるアーク（複数のアークがある場合）のプロットを同時に並べて表示することができる。別の例では、送達時間の異なる様々なトライアルのプロットを並べて表示し、オプティマイザによる選択を視覚的に比較することができる。
【００２７】
一例では、軸２０２及び２０４の一方又は両方の範囲を設定可能にすることができる。したがって、軸２０２及び２０４の一方又は両方は、リーフペア及び制御点の範囲全体を表すことができる。別の例では、軸２０２及び２０４の少なくとも一方が、範囲全体の（より小さい）パッチ又はサブセットを表すことができる。更に別の例では、軸２０２及び２０４の少なくとも一方が、範囲全体ではなく、範囲全体の複数のサブセットを表すことができる。制御点インデックスの代わりに又はそれに加えて、ガントリ角度を第１の（又はｘ）軸として使用することができる。モニタリングユニット（ＭＵ）のプロット、開口サイズの平均値及び／又は最大値、合計ＭＵ値等といった他の情報を、プロットの領域に重ねて表示することができる。
【００２８】
図３は、折りたたまれた第３の次元が制御点間のリーフペア開口の変位又は変化を表し、グレースケールが反転されていることを除いて、プロット２００と実質的に同様のプロット３００を示す。
【００２９】
第１の軸３０２は制御点を表し、第２の軸３０４はコリメータ列／リーフペアを表し、包絡線３０６はコリメータの上下のジョーの位置を表す。プロット３００では、リーフペアの開口サイズの変化は、グレースケールを使用する強度によって表される。白は最小変化を示し、黒は最大変化を示し、それらの間のグレーレベルは、明るいグレーから暗いグレーへの色調で増加する変化を示す。マーキング３０８は、視覚化されるグレーのレベルを示す。一例では、強度は、左右の変位の合計として計算される。
【００３０】
この特定の例は、大きいリーフ移動がある制御点の領域３１０の間で振動するように見えるセグメントの重みを示す。これは、最適化の前に、時間的平滑化パラメータの値を増加させることを示す可能性がある。２つ以上の（ユーザが選択した及び／又はデフォルトの）制御点の導関数を取ることにより、プロット３００（又は新しいプロット）における強度は、制御点間のリーフペアの変位ではなく、速度（変位の導関数）及び／又は加速度（速度の導関数）を示す。
【００３１】
図４の場合、ビジュアライザ１４０は、２つの計画標的体積（ＰＴＶ）についてのリーフ移動位置及びガントリ角度の関数として、開いたリーフペアの数のプロット４００を構築し提示する。
【００３２】
第１の軸４０２は、離散化されたリーフ移動位置を表し、第２の軸４０４は、制御点ガントリ角度を表す。ビジュアライザ１４０は、リーフの移動方向を離散化し、各制御点ガントリ角度の各位置での開いた列の数をカウントする。プロット４００の（グレースケール）強度はこのカウントに対応する。輪郭線４０６によって、左右のキャリッジ移動が示される。
【００３３】
プロット４００は、上から下に右−左−右に行く軌道４０８を有する大きいＰＴＶと、上から下に左−右−左に行く軌道４１０を有する小さいＰＴＶとを示す。プロット４００では、「破線」４１２並びに「点線」４１４及び４１６は、軌道４０８及び４１０を区別するのを助けるために、この説明における視覚的補助としてのみ提供されている。線４１２は２つのＰＴＶを区別するのに役立ち、線４１４及び４１６は軌道経路を視覚化するのに役立つ。これらの線は、プロット４００の一部であってもなくてもよい。
【００３４】
この特定の例は、２つのＰＴＶの最大開口が、２つの軌道４０８及び４１０が交差する（暗い）領域４１８及び４２０にあることを示す。この特定の例はまた、オプティマイザ１３８が、領域４２２及び４２４におけるＰＴＶ間のスムーズなソリューションを見つけるのが難しいことも示す。制御点間の差を取ることにより、プロット４００（又は新しいプロット）は、開いた状態から閉じた状態への変化及び／又は閉じた状態から開いた状態への変化を示す。変形例では、プロット４００は、単一のＰＴＶのみの軌道、又は、３つ以上のＰＴＶの軌道を示すことができる。
【００３５】
図５の場合、ビジュアライザ１４０は、制御点モニタユニットによりプロット４００の各制御点における強度に重みを付けることにより計算されるプロット５００を構築し提示する。
【００３６】
一例では、これにより、オプティマイザが治療を優先するアークセグメントに関する追加情報が得られる。この特定の例は、治療のための主要アークセグメントが領域５０２にあることを示す。軸４０２が３６０度を対象とする場合、これらのセグメントは、オプティマイザ１３８が、治療（放射線量）の大部分は３６０アークの中間セクションの約１８０度で提供されるべきであると決定したことを示す。このような情報は、２Ｄプロット５００に折りたたまれない限り読み取ることが難しい。これにより、領域５０２について計画に別のアークが追加される。
【００３７】
図６は、本明細書における一実施形態による例示的な方法を示す。
【００３８】
ステップ６０２において、プランナ１３６を用いて放射線治療計画が作成される。
【００３９】
ステップ６０４において、オプティマイザ１３８を用いて放射線療法計画が最適化される。
【００４０】
ステップ６０６において、最適化された放射線治療計画は、本明細書に及び／又は別の方法で説明されるように、ビジュアライザ１４０を用いて視覚的にまとめられる。
【００４１】
ステップ６０８において、計画が受入れ基準を満たしているかどうかが判断される。
【００４２】
ステップ６１０において、計画が受入れ基準を満たす場合、放射線治療計画が使用される。なお、受入れ基準を満たす場合でも、計画は調整されても、削除されても、及び／又は、使用されなくてもよい。
【００４３】
ステップ６１２において、放射線治療計画が受入れ基準を満たさない場合、当該放射線治療計画が調整される。なお、受入れ基準を満たさない場合でも、計画を使用することはできる。
【００４４】
上記の幾つかは、コンピュータ可読記憶媒体（一時的媒体を除く）にエンコード又は埋め込まれたコンピュータ可読命令によって実現することができる。当該コンピュータ可読命令は、コンピュータープロセッサによって実行されると、当該プロセッサに、上記ステップを行わせる。更に又は或いは、コンピュータ可読命令の少なくとも１つは、信号、搬送波又は他の一時的媒体によって運ばれる。
【００４５】
本発明は、図面及び上記説明において詳細に例示され、説明されたが、当該例示及び説明は、例示的に見なされるべきであり、限定的に見なされるべきではない。本発明は、開示される実施形態に限定されない。開示された実施形態の他の変形態様は、図面、開示内容及び従属請求項の検討から、請求項に係る発明を実施する当業者によって理解され、実施される。
【００４６】
請求項において、「含む」との用語は、他の要素又はステップを排除するものではなく、また、単数形も、複数形を排除するものではない。単一のプロセッサ又は他のユニットが、請求項に引用される幾つかのアイテムの機能を果たしてもよい。特定の手段が相互に異なる従属請求項に記載されることだけで、これらの手段の組み合わせを有利に使用することができないことを示すものではない。
【００４７】
コンピュータプログラムは、他のハードウェアと共に又はその一部として供給される光学記憶媒体又は固体媒体といった適切な媒体上に記憶及び／又は分散されてもよいが、インターネット又は他の有線若しくは無線通信システムを介するといった他の形式で分配されてもよい。請求項における任意の参照符号は、範囲を限定するものと解釈されるべきではない。
【図１】
2020518363.tif 000003
【図２】
2020518363.tif 000004
【図３】
2020518363.tif 000005
【図４】
2020518363.tif 000006
【図５】
2020518363.tif 000007
【図６】
2020518363.tif 000008
【国際調査報告】
2020518363.tif 000009
2020518363.tif 000010